(57)【要約】【課題】湯船に沈めて浴槽台を使用する際、台部とこれを覆うクッションとの間に不所望な弾力が生じることのない安定感のある浴槽台を提供する。【解決手段】脚部１２と、脚部１２によって支持され、脚部１２に着脱可能に取り付けられる台部１４と、台部１４の上面を覆うクッション１６とを有する浴槽台１０であって、台部１４の比重が１よりも小さく、クッション１６の比重が１よりも大きく設定されていることを特徴とする。この考案において、浴槽台１０を湯船に沈めると、比重が１よりも小さな台部１４には、浮力による上向きの力が加わり、台部１４の上面を覆うように設けられた比重が１よりも大きなクッション１６には、自重による下向きの力が加わる。【選択図】図１
0003228711.tif 000002
【実用新案登録請求の範囲】
【請求項１】
脚部と、前記脚部によって支持され、前記脚部に着脱可能に取り付けられる台部と、前記台部の上面を覆うクッションとを有する浴槽台であって、
前記台部の比重が１よりも小さく、前記クッションの比重が１よりも大きく設定されていることを特徴とする浴槽台。
【考案の詳細な説明】
【技術分野】
【０００１】
本考案は、入浴時に使用される浴槽台の改良に関する。
【背景技術】
【０００２】
高齢者や身体の不自由な者にとって、入浴行為、とりわけ浴室の床面よりも深く掘り込まれた浴槽内への出入りは、大変な困難を伴うものである。
【０００３】
そこで、浴槽に出入りする際の補助器具として、浴槽台と呼ばれる踏み台を使用することが従来から行われている（例えば、先行技術文献１参照）。
【０００４】
従来の浴槽台は、４本の支持脚を有する金属製の脚部と、脚部によって支持され、脚部に着脱可能に取り付けられる台部と、台部の上面に着脱可能に取り付けられたクッションとで大略構成されている。
【０００５】
台部は、金属製のコア部の周囲を樹脂製の成形部で覆うインサート成形により形成されている。また、クッションは、浴槽台に足を乗せたり腰掛けたときの肌触りが良くなるよう、例えばＥＶＡのような柔軟性と弾力性を有する樹脂素材により形成されている。
【０００６】
従来の浴槽台によれば、浴槽台を湯船に沈めて踏み台とすることで深い浴槽内への出入りがしやすくなる。また、浴槽内に沈めた浴槽台に腰掛けることで、湯船に楽に浸かることができる。
【先行技術文献】
【特許文献】
【０００７】
【特許文献１】特開２０１８−１５４１９号公報（図３）
【考案の概要】
【考案が解決しようとする課題】
【０００８】
従来の浴槽台では、脚部や台部のコア部が金属製であり、その比重は水の比重よりも大きいことから、脚部や台部では、浮力による上向きの力よりも自重による下向きの力が優勢となる。
【０００９】
一方、台部の上面に着脱可能に取り付けられているクッションは、ＥＶＡのような柔軟性と弾力性とを有する樹脂素材によって形成されているが、その比重は水の比重よりも小さい。そのため、クッションでは、自重による下向きの力よりも浮力による上向きの力が優勢となる。
【００１０】
このように、従来の浴槽台を湯船に沈めると、台部では、自重による下向きの力が働き、台部の上面に取り付けられているクッションでは、浮力による上向きの力（台部から遠ざかる方向の力）が働くので、台部とクッションとの間の境界部分には、僅かではあるが隙間が生じ、この台部とクッションとの間の隙間に湯水が流れ込むことで不所望な弾力が生まれることとなる。
【００１１】
台部とクッションとの間にこのような不所望な弾力が生じると、浴槽台に足を乗せた時に足元が不安定となる。足腰の弱い者にとっては、この不安定感がふらつきの原因ともなり、転倒事故につながりかねない。
【００１２】
本考案は、かかる従来の問題点に鑑みてなされたものであり、湯船に沈めて浴槽台を使用する際、台部と、これを覆うクッションとの間に不所望な弾力が生じることのない安定感のある浴槽台を提供することにある。
【課題を解決するための手段】
【００１３】
請求項１に記載した考案は、「脚部１２と、脚部１２によって支持され、脚部１２に着脱可能に取り付けられる台部１４と、台部１４の上面を覆うクッション１６とを有する浴槽台１０であって、台部１４の比重が１よりも小さく、クッション１６の比重が１よりも大きく設定されている」ことを特徴とする浴槽台１０である。
【考案の効果】
【００１４】
この考案において、浴槽台を湯船に沈めると、比重が１よりも小さな台部では、浮力による上向きの力が優勢となり、台部の上面を覆うように設けられた比重が１よりも大きなクッションでは、自重による下向きの力が優勢となる。
【００１５】
つまり、台部とクッションとの間には、両者の境界面において互いに押し合う方向の力が加わるので、両部材間に従来のような隙間が形成されることによる不所望な弾力が発生することはなく、足を乗せたときに安定感のある浴槽台を提供することができる。
【図面の簡単な説明】
【００１６】
【図１】この考案に係る浴槽台を示す斜視図である。
【図２】この考案に係る浴槽台を示す分解斜視図である。
【考案を実施するための形態】
【００１７】
以下、本考案を図示実施例に従って詳述する。本考案に係る浴槽台１０は、図１〜図２に示すように、脚部１２、台部１４およびクッション１６により大略構成されている。
【００１８】
脚部１２は、４本の支持脚１８を有しており、隣り合う支持脚１８（より詳しくは、後述する大径側支持脚２４）同士が連結部材２０によって互いに連結されて矩形枠状となるように構成されている。互いに対向する一組の連結部材２０間には、２本の補強桟２２が所定間隔を隔てて架け渡されている。本実施例においては、連結部材２０と補強桟２２とが金属（本実施例では、軽量のアルミニウム）によって形成されている。
【００１９】
支持脚１８は、大径側支持脚２４、小径側支持脚２６およびストッパ２８により大略構成されており、上側の大径側支持脚２４に対して下側の小径側支持脚２６が入れ子状にて挿脱可能に収容されている。
【００２０】
大径側支持脚２４は、金属（本実施例では、軽量のアルミニウム）からなるパイプ状の部材で、その下端部には、鍔部２４ａが全周に亘って形成されている。大径側支持脚２４の外側面であって鍔部２４ａの上部には、係止孔２４ｂが穿設されている。
【００２１】
小径側支持脚２６は、金属（本実施例では、軽量のアルミニウム）からなるパイプ状の部材で、その外側面には、複数（本実施例では６つ）の位置調整用孔２６ａが軸方向に所定間隔を隔てて形成されている。
【００２２】
小径側支持脚２６の下端部には、円盤状の底板３０が設けられている。底板３０の下面には、ゴム製の滑り止めシート３２が貼着されている。
【００２３】
ストッパ２８は、大径側支持脚２４に対する小径側支持脚２６の位置（挿入長さ）を規定するためのもので、ストッパ本体２８ａと係止棒２８ｂとを有する。
【００２４】
ストッパ本体２８ａは、平面視略Ｃ字状の部材で、その内側面中央部分から係止棒２８ｂが開口部に向かって突設されている。そして、この係止棒２８ｂが大径側支持脚２４の係止孔２４ｂおよび小径側支持脚２６の位置調整用孔２６ａに挿入されており、これにより、大径側支持脚２４に対する小径側支持脚２６の挿脱方向への移動が規制されている。
【００２５】
台部１４は、天板１４ａと、天板１４ａの外周部から垂れ下がった側板１４ｂとを有しており、これらが密度が１よりも小さな樹脂（本実施例では、ポリプロピレン）によって一体的に成形されている。
【００２６】
台部１４の天板１４ａには、複数の嵌合孔１４ｃが天板１４ａの全面に形成されている。
【００２７】
クッション１６は、座面１６ａと、座面１６ａの外周部から垂れ下がった側板１６ｂとを有しており、これらが密度が１よりも大きな弾性樹脂によって一体的に形成されている。
【００２８】
座面１６ａの上面には、防滑用の凹凸３４が形成されている。防滑用の凹凸３４は、座面１６ａに対して凹溝３４ａを形成することにより構成される。凹溝３４ａは、斜行して所定間隔で交差してダイヤ形状の凸部３４ｂを作るように、架橋時における金型の加熱圧締によって押圧形成されている。
【００２９】
座面１６ａの裏面側には、複数の嵌合突部３６が嵌合孔１４ｃと対応する位置にそれぞれ形成されている。
【００３０】
各嵌合突部３６は略砲弾形で、その外径が嵌合孔１４ｃの内径と略等しく（あるいは若干小さめに）設定されている。各嵌合突部３６の中心には、その下端部から座面１６ａの上面に連通する水抜き孔３６ａが形成されている。
【００３１】
クッション１６に使用される弾性樹脂は、熱可塑性弾性樹脂を母材とし、これに無機充填剤、架橋剤、プロセスオイルおよび着色剤を添加することによって形成される。
【００３２】
母材となる熱可塑性弾性樹脂としては、天然ゴム、スチレン・ブタジエンゴム（ＳＢＲ）、エチレン・プロピレン・ジエンゴム（ＥＰＤＭ）、ポリ塩化ビニルなどが使用でき、本実施例では、ＥＰＤＭが使用されている。
【００３３】
無機充填剤は、製品の強度を高める改質剤或いは増量剤として添加されるもので、母材（ここではＥＰＤＭ）の配合量を１００重量％としたとき、約３０〜４０重量％の割合で添加される。
【００３４】
無機充填剤としては、公知のものを適宜使用することができ、その一例としては、カーボンブラック、シリカ、クレイ、水酸化アルミニウム、炭酸カルシウム、マイカ、タルク、水酸化アルミニウム、酸化アルミニウム、酸化チタン、硫酸バリウム等の無機フィラーや、セルロース、レシチン、リグニン、デンドリマー等の有機フィラーを例示することができる。
【００３５】
架橋剤は、母材同士を連結（架橋）させるためのもので、母材の配合量を１００重量％としたとき、約１重量％程の割合で添加される。
【００３６】
架橋剤としては、公知のものを適宜使用することができ、その一例としては、ジ（ｔ−ブチルパーオキシイソプロピル）ジイソプロピルベンゼンのようなパーオキシケタール、或いは、ジクミルパーオキサイドのようなジアルキルパーオキサイド等が挙げられる。
【００３７】
プロセスオイルは、ゴムの可塑性を高めて作業性をよくしたり、ゴムの硬度を下げるために用いられるもので、母材の配合量を１００重量％としたとき、約６〜８重量％の割合で添加される。プロセスオイルとしては、公知のものを適宜使用することができ、その一例としては、例えばパラフィンオイル、ナフテンオイル、トリグリセリド系植物オイルなどが挙げられる。
【００３８】
浴槽台１０を使用する際は、まず、脚部１２を任意の長さに調整する。具体的には、大径側支持脚２４から小径側支持脚２６を引き出して任意の長さとし、大径側支持脚２４の係止孔２４ｂと小径側支持脚２６の位置調整用孔２６ａとを一致させる。
【００３９】
然る後、ストッパ２８の係止棒２８ｂの先端を大径側支持脚２４の係止孔２４ｂおよび小径側支持脚２６の位置調整用孔２６ａに順次挿入する。ストッパ２８は、略Ｃ字型に形成されているので、ストッパ２８の内側面が大径側支持脚２４の外面と当接するまでストッパ２８を押し込むことで、大径側支持脚２４に装着されたストッパ２８が勝手に抜け落ちるようなことはなく、大径側支持脚２４に対する小径側支持脚２６の挿脱方向の移動が規制される。
【００４０】
高さ調整が済んだ浴槽台１０を湯船に沈めると、浴槽台１０は、自重により自沈する。クッション１６には水抜き孔３６ａが形成されているので、浴槽台１０を沈めやすく、湯船からの引き上げも容易であえる。
【００４１】
浴槽台１０を湯船に沈めると、比重が１よりも小さな台部１４には、浮力による上向きの力が優勢となる。一方、台部１４の上面を覆うように設けられたクッション１６は、比重が１よりも大きいため、自重による下向きの力が優勢となる。
【００４２】
つまり、台部１４とクッション１６との間には、両者の境界面において互いに押し合う方向の力が加わるので、両部材間１４，１６間に従来のような隙間が形成されることによる不所望な弾力が発生することはなく、足を乗せたときに安定感のある浴槽台１０を提供することができる。
【符号の説明】
【００４３】
１０：浴槽台、１２：脚部、１４：台部、１４ａ：天板、１４ｂ：側板、１４ｃ：嵌合孔、１６：クッション、１６ａ：座面、１６ｂ：側板、１８：支持脚、２０：連結部材、２２：補強桟、２４：大径側支持脚、２４ａ：鍔部、２４ｂ：係止孔、２６：小径側支持脚、２６ａ：位置調整用孔、２８：ストッパ、２８ａ：ストッパ本体、２８ｂ：係止棒、３０：底板、３２：滑り止めシート、３４：（防滑用の）凹凸、３４ａ：凹溝、３４ｂ：凸部、３６：嵌合突部、３６ａ：水抜き孔
【図１】
0003228711.tif 000003
【図２】
0003228711.tif 000004